(57)【要約】      （修正有）【課題】園芸用ポールを連結するのに使用する器具において、連結作業時に振動や衝撃があっても、また園芸用ポールが反り等の変形を来たしても、連結状態を堅固に維持できる植物栽培用の補助器具を提供する。【解決手段】一定の規則正しい波形の硬質性線状材１を、波形の頂点位置１ａを突き合わせた状態で、頂点位置１ａに跨らせて線状材１同士を並列状に連結する連結部２と、この連結部２に設けて園芸用ポール３との取り付けに使用する本体部４とで形成する。この本体部４を、園芸用ポール３を把持するＵ字溝状の把持片５と、この把持片５の長手方向に沿った開口５ａを閉塞する蓋６とで形成する。この蓋６の裏側に蟻溝６ｂを、蓋６の長手方向に延ばして形成する。この蟻溝６ｂが係合する蟻５ｄを、把持片５の突き出し端の外側に把持片５の長手方向に延ばして形成する。【選択図】図１
0003172788.tif 000002
【実用新案登録請求の範囲】
【請求項１】
一定の規則正しい波形の硬質性線状材を、波形の頂点位置を突き合わせた状態で、頂点位置に跨らせて線状材同士を並列状に連結する連結部と、この連結部に設けられて園芸用ポールとの取り付けに使用する本体部とで形成され、この本体部が、園芸用ポールを把持するＵ字溝状の把持片と、この把持片の長手方向に沿った開口を閉塞する蓋とで形成され、この蓋の裏側に蟻溝が、蓋の長手方向に延ばされて形成され、この蟻溝が係合する蟻が、把持片の突き出し端の外側に把持片の長手方向に延ばされて形成されていることを特徴とする植物栽培用の補助器具。
【請求項２】
園芸用ポールとの取り付けに使用する本体部を一対備え、この本体部が、園芸用ポールを把持するＵ字溝状の把持片と、この把持片の長手方向に沿った開口を閉塞する蓋とで形成され、この蓋の裏側に蟻溝が、蓋の長手方向に延ばされて形成され、この蟻溝が係合する蟻が、把持片の突き出し端の外側に把持片の長手方向に延ばされて形成され、各本体部の把持片同士が、背中を合わされて背中に通される軸で枢着されていることを特徴とする植物栽培用の補助器具。
【請求項３】
園芸用ポールとの取り付けに使用する本体部を一対備え、この本体部が、園芸用ポールを把持するＵ字溝状の把持片と、この把持片の長手方向に沿った開口を閉塞する蓋とで形成され、この蓋の裏側に蟻溝が、蓋の長手方向に延ばされて形成され、この蟻溝が係合する蟻が、把持片の突き出し端の外側に把持片の長手方向に延ばされて形成され、各本体部の把持片同士が、把持片の開口の短幅方向に沿った軸で枢着されていることを特徴とする植物栽培用の補助器具。
【請求項４】
請求項１乃至３の何れかに記載の植物栽培用の補助器具であって、蓋の外面に操作用の摘まみが設けられていることを特徴とする植物栽培用の補助器具。
【考案の詳細な説明】
【技術分野】
【０００１】
本考案は、植物栽培用の補助器具に関し、更に詳しくは、例えばエンドウやキュウリなどの蔓性植物の栽培に特に適するよう形成した植物栽培用の補助器具に関するものである。
【背景技術】
【０００２】
従来、この種の器具としては、例えば特許文献１、２に記載されているものが知られている。
特許文献１に記載の従来品は、ハーフパイプ状の二個の連結片が、背中合わせの状態で回動ピンを介して回転自在に接続されている。
また特許文献２に記載の従来品は、園芸用の支柱を嵌め付ける連結具本体を、接合部材を介在させて固着若しくは遊着状に接合したものである。
【０００３】
ところで、この種の器具は、例えば連結具から園芸用ポールが外れると、作業者は嵌め付け作業をやり直さなければならないことになる。
従って、この種の器具は、園芸用ポールを連結具に一度嵌め付けたら、連結具から園芸用ポールが外れることがないよう、形成されているのが望ましい。
【０００４】
しかるに、従来品は、上記の通り、連結具（片）を、単にハーフパイプ状等に形成しているのに過ぎなかった。
従って、従来品を使用すると、連結具に園芸用ポールを嵌め付けた後、作業時の振動や衝撃等で、園芸用ポールが連結具から外れることがあった。
【０００５】
また園芸用ポールは、通常、合成樹脂製のため、反り等の変形を来たすことがある。そのため、従来品は、この種の反り等の変形によっても、連結具から外れることがあった。
【先行技術文献】
【特許文献】
【０００６】
【特許文献１】特開２００４−３３０７５号公報
【特許文献２】特開２００３−３０１５２８号公報
【考案の概要】
【考案が解決しようとする課題】
【０００７】
本考案は、このような従来品の問題点に鑑み、提案されたものである。
従って本考案の解決しようとする技術的課題は、園芸用ポールを連結するのに使用する器具において、連結作業時に振動や衝撃があっても、また園芸用ポールが反り等の変形を来たしても、連結状態を堅固に維持できるよう形成した植物栽培用の補助器具を提供することにある。
【課題を解決するための手段】
【０００８】
本考案は、上記の課題を解決するため、次のような技術的手段を採る。
即ち、本考案は、図１等に示されるように、一定の規則正しい波形の硬質性線状材１を、波形の頂点位置１ａを突き合わせた状態で、頂点位置１ａに跨らせて線状材１同士を並列状に連結する連結部２と、この連結部２に設けられて園芸用ポール３との取り付けに使用する本体部４とで形成され、この本体部４が、園芸用ポール３を把持するＵ字溝状の把持片５と、この把持片５の長手方向に沿った開口５ａを閉塞する蓋６とで形成され、この蓋６の裏側に蟻溝６ｂが、蓋６の長手方向に延ばされて形成され、この蟻溝６ｂが係合する蟻５ｄが、把持片５の突き出し端の外側に把持片５の長手方向に延ばされて形成されていることを特徴とする（請求項１）。
【０００９】
ここで、一定の規則正しい波形とは、周期運動をする波形を意味し、具体的には正弦波、三角波、鋸波、方形波等の交流波形がある。この場合、波形には、例えば形が同じで大きさの違う波形が交番的に繰り返されるものも含まれる。またここで、硬質性の線状材１とは、波形を保持可能な硬度を有する性質の線状の部材を意味し、具体的にはスチール等の金属材製の針金や、樹脂材などがある。この場合、線状材１を太くすると、通常、強度も高くなり、細くすると軽量化できる。なお、本考案品は、通常、屋外で使用されるため、線状材１は、例えば樹脂等で被膜されるなど、防錆加工が施されているのが良い。
【００１０】
また本考案の場合、連結部２は、通常、線状材１と嵌合する溝を、本体の両端部に備えて樹脂材や金属材で帯板状に形成される。この場合、連結部２は、連結作業を柔軟にできるよう、可撓質に形成されているのでも良い。また金属製の場合は、線状材１と同様、防錆加工が施されているのが良い。
【００１１】
またここで、Ｕ字溝状とは、把持片５が、開口５ａから嵌め込まれる園芸用ポール３を導く通路部分と、この通路部分の奥で、園芸用ポール３が納まる収納部分５ｂとを備えて形成されている、ということを意味する。また蓋６は、通常、把持片５の長さに合わせて、把持片５と同じ長さに形成されるが、開口５ａを閉塞し、園芸用ポール３の抜け外れを防止できる状態であれば、その長さや形状は任意である。
【００１２】
而して、本考案の他の構成としては、図９〜図１１に示されるように構成されているものがある。
即ち、この本考案は、園芸用ポール３との取り付けに使用する本体部４を一対備え、この本体部４が、園芸用ポール３を把持するＵ字溝状の把持片５と、この把持片５の長手方向に沿った開口５ａを閉塞する蓋６とで形成され、この蓋６の裏側に蟻溝６ｂが、蓋６の長手方向に延ばされて形成され、この蟻溝６ｂが係合する蟻５ｄが、把持片５の突き出し端の外側に把持片５の長手方向に延ばされて形成され、各本体部４の把持片５同士が、背中を合わされて背中に通される軸８で枢着されていることを特徴とする（請求項２）。
【００１３】
また本考案の更に他の構成としては、図１２〜図１５に示されるように構成されているものがある。
即ち、この本考案は、園芸用ポール３との取り付けに使用する本体部４を一対備え、この本体部４が、園芸用ポール３を把持するＵ字溝状の把持片５と、この把持片５の長手方向に沿った開口５ａを閉塞する蓋６とで形成され、この蓋６の裏側に蟻溝６ｂが、蓋６の長手方向に延ばされて形成され、この蟻溝６ｂが係合する蟻５ｄが、把持片５の突き出し端の外側に把持片５の長手方向に延ばされて形成され、各本体部４の把持片５同士が、把持片５の開口５ａの短幅方向に沿った軸９で枢着されていることを特徴とする（請求項３）。
この本考案の場合、軸９の位置は、把持片５の端部が好ましいが、例えば中央部分でも良い。
【００１４】
而して、これらの本考案の場合、蓋６の外面に操作用の摘まみ６ａが設けられているのが好ましい（請求項４）。
なぜならこれによると、摘まみ６ａを使用して蓋６をスライド操作でき、蓋６の着脱操作が容易になるからである。
【考案の効果】
【００１５】
本考案は、このように本体部の把持片を園芸用ポールに嵌め付け、把持片に蓋を嵌合し、把持片の開口を閉塞可能に形成しているものである。
従って、本考案の場合は、園芸用ポールの連結作業時に、振動や衝撃があっても、また園芸用ポールに反り等が生じても、園芸用ポールが本体部から外れることを防止できる。それ故、本考案によれば、連結作業のやり直し等の煩わしさや、また園芸用ポールを連結した後の補修作業を一掃できる。
【００１６】
また請求項１記載の本考案の場合は、連結部で線状材同士を連結してネット状の柵や棚等を形成できる。従って、これによれば、園芸用ポールを組み合わせて強度を高めた柵等を構築できる。
【図面の簡単な説明】
【００１７】
【図１】本考案の補助器具の好適な一実施形態を示し、Ａは使用状態時の要部斜視図、Ｂは側面図である。
【図２】同上補助器具の背面図である。
【図３】Ａは同上補助器具の蓋を外した状態の平面図、Ｂは蓋を裏側から見たときの斜視図である。
【図４】線状材の要部正面図である。
【図５】同上補助器具の使用状態時の要部正面図である。
【図６】同上補助器具を横向きに使用したときの要部正面図である。
【図７】同上補助器具の使用状態時の要部正面図である。
【図８】連結具の要部断面図である。
【図９】本考案の他の構成を示す、使用状態時の要部斜視図である。
【図１０】図９の本考案品の使用状態時の正面図である。
【図１１】Ａは図９の本考案品の要部正面図、ＢはＡの右側面図である。
【図１２】本考案の更に他の構成を示す、使用状態時の要部斜視図である。
【図１３】図１２の本考案品の使用状態時の正面図である。
【図１４】図１２の本考案品の他の使用状態時の平面図である。
【図１５】図１４の使用状態時の斜視図である。
【考案を実施するための形態】
【００１８】
以下、本考案を実施するための好適な一実施形態を、添付図面に従って説明する。
本考案は、図１等に示されるように、一定の規則正しい波形の硬質性線状材１を、波形の頂点位置１ａを突き合わせた状態で、頂点位置１ａに跨らせて線状材１同士を並列状に連結する連結部２と、この連結部２に設けられて園芸用ポール３との取り付けに使用する本体部４とで形成されている。
【００１９】
上記の線状材１（図４参照）は、この実施形態ではスチール製の太めの針金が略正弦波状に折り曲げられて形成されている。線状材１としての針金の表面は、樹脂で被膜され、防錆対策が施されている。また線状材１は、波形の頂点位置１ａが、線状材１の長手方向に沿って一定の長さだけ真直ぐに伸ばされて直線状に形成されている。
なお、この線状材１の頂点位置１ａの長さは、後述する嵌合部２ａの長さより長く選定される。
【００２０】
上記の連結部２は、帯板状に樹脂材で形成されている。またこの連結部２は、その両端部に、線状材１の頂点位置１ａに嵌め付けるための嵌合部２ａとしての溝が、短幅方向の全長にわたって同じ面の側に溝口を向けて平行状に形成されている。
【００２１】
この場合、嵌合部２ａの溝幅（溝径）は、線状材１の径より僅かに大きい状態に選定され、溝口（スリット状の嵌め込み口）の幅は、線状材１の径より小さく形成されている。嵌合部２ａとしての溝が、線状材１に嵌め込まれると、溝口の口縁部で線状材１は挟持され、抜脱が防止される。
【００２２】
また上記の本体部４は、園芸用ポール３を把持するＵ字溝状の把持片５と、この把持片５の長手方向に沿った開口５ａを閉塞する蓋６とで形成されている。把持片５の収納部分５ｂは、園芸用ポール３の径より僅かに大きい径の丸孔状に形成されている。また開口５ａからこの収納部分５ｂに至る導入路部分５ｃは、園芸用ポール３の径より僅かに小さい幅に形成され、把持片５は可撓性を有するよう合成樹脂材で形成されている。
【００２３】
また蓋６は、外面に摘まみ６ａが設けられ、合成樹脂材で形成されている。摘まみ６ａは、この実施形態では前端が円弧形に形成され、板片状に形成されている。
【００２４】
また蓋６は、その裏側に蟻溝６ｂが蓋６の長手方向に延ばされて形成されている。そして、この蟻溝６ｂが係合する蟻５ｄが、上記の把持片５の突き出し端の外側に、把持片５の長手方向に延ばされて形成されている。
【００２５】
なお、７（図８参照）は、本考案の連結部２と同様に形成されている連結具である。線状材１は、この連結具７と、本考案品とが組み合わされて並列状に連結される。７ａは、線状材１の頂点位置１ａに嵌め付けるための嵌合箇所である。
【００２６】
次に、この実施形態に係る本考案品の使用例を説明する。
先ず作業者は、図１、図４、図５、図７等に示されるように、一方の線状材１の波形の直線部に、連結部２の一端側の嵌合部２ａとしての溝を嵌め付け、また他方の線状材１の直線部に、連結部２の他端側の嵌合部２ａとしての溝を嵌め付ける。連結部２が、線状材１に嵌め込まれると、嵌合部２ａの口縁部が線状材１を挟持する。また本考案品を使用しない箇所には、連結具７で線状材１同士を連結する。これにより、線状材１がネット状に連結される。
【００２７】
次に作業者は、本体部４の把持片５の開口５ａに園芸用ポール３を押し込み、把持片５に園芸用ポール３を嵌め付ける。把持片５は園芸用ポール３が開口５ａから押し込まれると外側に撓み、その後、園芸用ポール３が収納部分５ｂに押し込まれると、突き出し端が内側に復帰し、園芸用ポール３を抱え込むように把持する。
【００２８】
次に作業者は、蓋６の蟻溝６ｂを、把持片５の蟻５ｄに係合させ、把持片５の長手方向に沿って蓋６をスライドさせて把持片５に嵌め付ける。この場合、蓋６は、把持片５の、外側に働く復元力でしっかりと取り付けられるため、脱落することはない。
【００２９】
本考案品の場合、園芸用ポール３を地面に立てるときは、図１、図５等に示されるように連結部２を縦向きに配置して使用する。また園芸用ポール３を横向きに配置するときは、図６に示されるように、連結部２を横向きに配置して使用する。図７は、本考案品を使用して園芸用ポール３を立て、線状材１をネット状に形作った状態である。
【００３０】
次に請求項２記載の本考案の好適な一実施形態を、図９〜図１１に従って説明する。上例と同一部材、同一箇所には、同一の符号を付し、詳しい説明は省略する。
【００３１】
この本考案品は、園芸用ポール３との取り付けに使用する本体部４を一対備えて形成されている。この本体部４は、園芸用ポール３を把持するＵ字溝状の把持片５と、この把持片５の長手方向に沿った開口５ａを閉塞する蓋６とで形成されている。
【００３２】
蓋６は、裏側に蟻溝６ｂが、蓋６の長手方向に延ばされて形成されている。またこの蟻溝６ｂが係合する蟻５ｄが、把持片５の突き出し端の外側に把持片５の長手方向に延ばされて形成されている。これらの構成は、上例と同様である。
【００３３】
而して、この本考案品は、各本体部４の把持片５同士が背中合わせに配置されている。そして、各把持片５は、背中に通される軸８で枢着されている。
【００３４】
次に、この本考案品の使用例を説明する。
本考案品は、図９等に示されるように、軸８を中心に把持片５を回し、例えば直交状に把持片５を配置する。この状態で作業者は、上例と同様、各把持片５の開口５ａから園芸用ポール３を押し込み、把持片５に園芸用ポール３を嵌め付ける。
【００３５】
次に作業者は、蓋６の蟻溝６ｂを、把持片５の蟻５ｄに係合させ、把持片５の長手方向に沿って蓋６をスライドさせて把持片５の両側の復元力を利用して蓋６を把持片５に取り付ける。園芸用ポール３は、この蓋６により外れることなく、この実施形態の場合は、直交状に配置される。
【００３６】
次に請求項３記載の本考案の好適な一実施形態を、図１２〜図１５に従って説明する。上例と同一部材、同一箇所には、同一の符号を付し、詳しい説明は省略する。
【００３７】
この本考案は、園芸用ポール３との取り付けに使用する本体部４を一対備え、この本体部４が、園芸用ポール３を把持するＵ字溝状の把持片５と、この把持片５の長手方向に沿った開口５ａを閉塞する蓋６とで形成されている。
【００３８】
また蓋６は、上例と同様、裏側に蟻溝６ｂが、蓋６の長手方向に延ばされて形成されている。またこの蟻溝６ｂが係合する蟻５ｄが、把持片５の突き出し端の外側に把持片５の長手方向に延ばされて形成されている。
【００３９】
而して、各本体部４の把持片５同士は、把持片５の開口５ａの短幅方向に沿った軸９で枢着されている。この軸９は、この実施形態では把持片５の端部に配置されている。
【００４０】
次に、この実施形態に係る本考案品の使用例を説明する。
本考案品は、上例と同様、把持片５に園芸用ポール３を押し込み、蓋６を取り付ける。この場合、図１２に示されるように、軸９を中心に本体部４を平行状に回して配置すると、園芸用ポール３は平行状に配置される。
【００４１】
また図１４、図１５に示されるように、作業者が、軸９を中心に本体部４を回して直角状に配置すると、園芸用ポール３を直交状に配置することができる。また本体部４を直列状に配置すると、園芸用ポール３の長さを越えて長い、大きな栽培棚等を作ることができる。
なお、本考案は、請求項１〜３に係る本考案品を単独で使用する場合には限られず、組み合わせて使用するのでも良い。
【符号の説明】
【００４２】
１      線状材
１ａ    頂点位置
２      連結部
３      園芸用ポール
４      本体部
５      把持片
５ａ    開口
５ｄ    蟻
６      蓋
６ｂ    蟻溝
【図１】
0003172788.tif 000003
【図２】
0003172788.tif 000004
【図３】
0003172788.tif 000005
【図４】
0003172788.tif 000006
【図５】
0003172788.tif 000007
【図６】
0003172788.tif 000008
【図７】
0003172788.tif 000009
【図８】
0003172788.tif 000010
【図９】
0003172788.tif 000011
【図１０】
0003172788.tif 000012
【図１１】
0003172788.tif 000013
【図１２】
0003172788.tif 000014
【図１３】
0003172788.tif 000015
【図１４】
0003172788.tif 000016
【図１５】
0003172788.tif 000017
【手続補正書】
【提出日】平成23年10月27日(2011.10.27)
【手続補正１】
【補正対象書類名】実用新案登録請求の範囲
【補正対象項目名】請求項２
【補正方法】変更
【補正の内容】
【請求項２】
園芸用ポールとの取り付けに使用する本体部を一対備え、この本体部が、園芸用ポールを把持するＵ字溝状の把持片と、この把持片の長手方向に沿った開口を閉塞する蓋とで形成され、この蓋の裏側に蟻溝が、蓋の長手方向に延ばされて形成され、この蟻溝が係合する蟻が、把持片の突き出し端の外側に把持片の長手方向に延ばされて形成され、各本体部の把持片同士が、凸湾曲面状の背中が合わされて配置されると共に、この各把持片の背中に渡されて通される軸で枢着されていることを特徴とする植物栽培用の補助器具。
【手続補正２】
【補正対象書類名】実用新案登録請求の範囲
【補正対象項目名】請求項３
【補正方法】変更
【補正の内容】
【請求項３】
園芸用ポールとの取り付けに使用する本体部を一対備え、この本体部が、園芸用ポールを把持するＵ字溝状の把持片と、この把持片の長手方向に沿った開口を閉塞する蓋とで形成され、この蓋の裏側に蟻溝が、蓋の長手方向に延ばされて形成され、この蟻溝が係合する蟻が、把持片の突き出し端の外側に把持片の長手方向に延ばされて形成され、各本体部の把持片の凸湾曲面状の背中の外側に把持片の開口の短幅方向に沿った軸を備え、この軸で各本体部の把持片同士が枢着されていることを特徴とする植物栽培用の補助器具。
【手続補正３】
【補正対象書類名】明細書
【補正対象項目名】００１２
【補正方法】変更
【補正の内容】
【００１２】
而して、本考案の他の構成としては、図９〜図１１に示されるように構成されているものがある。
即ち、この本考案は、園芸用ポール３との取り付けに使用する本体部４を一対備え、この本体部４が、園芸用ポール３を把持するＵ字溝状の把持片５と、この把持片５の長手方向に沿った開口５ａを閉塞する蓋６とで形成され、この蓋６の裏側に蟻溝６ｂが、蓋６の長手方向に延ばされて形成され、この蟻溝６ｂが係合する蟻５ｄが、把持片５の突き出し端の外側に把持片５の長手方向に延ばされて形成され、各本体部４の把持片５同士が、凸湾曲面状の背中が合わされて配置されると共に、この各把持片５の背中に渡されて通される軸８で枢着されていることを特徴とする（請求項２）。
【手続補正４】
【補正対象書類名】明細書
【補正対象項目名】００１３
【補正方法】変更
【補正の内容】
【００１３】
また本考案の更に他の構成としては、図１２〜図１５に示されるように構成されているものがある。
即ち、この本考案は、園芸用ポール３との取り付けに使用する本体部４を一対備え、この本体部４が、園芸用ポール３を把持するＵ字溝状の把持片５と、この把持片５の長手方向に沿った開口５ａを閉塞する蓋６とで形成され、この蓋６の裏側に蟻溝６ｂが、蓋６の長手方向に延ばされて形成され、この蟻溝６ｂが係合する蟻５ｄが、把持片５の突き出し端の外側に把持片５の長手方向に延ばされて形成され、各本体部４の把持片５の凸湾曲面状の背中の外側に把持片５の開口５ａの短幅方向に沿った軸９を備え、この軸９で各本体部４の把持片５同士が枢着されていることを特徴とする（請求項３）。
この本考案の場合、軸９の位置は、把持片５の端部が好ましいが、例えば中央部分でも良い。